(57)【要約】【課題】鉄塔の架線工事等に際し、中間踊場の撤去・復旧工事が不要となり、施工性・安全性の向上およびコストの低減が図れる送電用鋼管柱鉄塔の中間踊場構造を提供する。【解決手段】中間踊場１０を、梯子４の部分を除く塔柱２の外周を取り囲む床板１１と、この床板１１を支持する支持材１２と、床板１１の外周に設けられる手摺１３から構成し、床板１１を塔柱２の円周方向に複数に分割し、分割床板２０のうち任意の数の分割床板２０ａをヒンジ部材により外側枠材３１に取付け、上方向に開閉可能な開閉式とし、必要な開閉式の分割床板２０ａを開き、開口３３により電線架設用等のワイヤや部材を通過させ、閉じことにより中間踊場として使用する。【選択図】図２
2009215816.tif 000002
【特許請求の範囲】
【請求項１】
送電用鋼管柱鉄塔の塔柱に設けられる中間踊場構造であり、塔柱を取り囲むように設けられる床板が塔柱の周方向に複数に分割され、分割床板のうち任意の数の分割床板が上方向に開閉可能に設けられていることを特徴とする送電用鋼管柱鉄塔の中間踊場構造。
【請求項２】
請求項１に記載の中間踊場構造において、床板を支持する支持材を構成する、内側枠材と、外側枠材と、内側枠材と外側枠材を連結する連結枠材とにより、分割床板の平面形状に対応した平面形状の開口が塔柱の周囲に複数形成され、前記開口の外側枠材、内側枠材または連結枠材に分割床板の一辺がヒンジ部材を介して取り付けられ、少なくとも分割床板のヒンジ部材の辺に対向する辺の周縁部が枠材に上から係止されるように構成されていることを特徴とする送電用鋼管柱鉄塔の中間踊場構造。
【発明の詳細な説明】
【技術分野】
【０００１】
本発明は、送電用鋼管柱鉄塔の塔柱に設けられる中間踊場構造に関するものである。
【背景技術】
【０００２】
単柱形式等の送電用鋼管柱鉄塔の塔柱には、メンテナンスのために梯子と中間踊場が設けられている。この中間踊場は、電線を支持する最下腕金から４〜５ｍ下がった位置の塔柱外周にボルト止めで設置されており、外径４ｍ程度のドーナツ状に加工した鋼製枠材に、エキスパンドメタルからなる床板（８分割程度）を溶接し、外周には高さ１ｍ程度の棒鋼からなる手摺を設けて構成されている。
【０００３】
このような中間踊場は、架線工事等を行う際、電線架設のためのワイヤ（例えば特許文献１、２参照）や資機材荷揚げ用ワイヤの通り道の障害となることから、中間踊場を撤去して架線工事等を行い、工事完了後に中間踊場を設置しており、撤去・設置の工事が必要となる。
【０００４】
なお、本発明に関連する先行技術文献として特許文献３がある。この特許文献３の発明は、建屋や柱等の高所位置で壁面に対する各種作業をなす場合の作業スペースを確保するために用いられる足場装置および足場構築工法に関するものであり、水平足場に開口する昇降口を閉鎖可能に配置され足場本体の側縁にヒンジ結合した折曲げ起立可能なつま先板を有する開閉足場板を設け、昇降口がデッドスペースになっている点を改善したものである。
【０００５】
【特許文献１】特開昭６４−２６３１５号公報
【特許文献２】特開２００６−６７７６９号公報
【特許文献３】特開平９−２８７２８４号公報
【発明の開示】
【発明が解決しようとする課題】
【０００６】
従来の中間踊場の場合、架線工事等における中間踊場の撤去・復旧に際しては、（1）仮設作業足場の設置・撤去が必要であり、（2）殆どが狭隘地での作業であり、塔上〜地上間の上げ下げに時間がかかり、（3）構造上部分撤去は不可能であることから、塔上での分割・組立作業となるため、工具・資材類の落下等のリスクが大きいなど、施工面・安全面において大きな問題があると共に、コストアップにもつながっている。
【０００７】
本発明は、前述のような課題の解決を図ったものであり、鉄塔の架線工事等に際し、中間踊場の撤去・復旧工事が不要となり、施工性・安全性の向上およびコストの低減が図れる送電用鋼管柱鉄塔の中間踊場構造を提供することを目的としている。
【課題を解決するための手段】
【０００８】
本発明の請求項１に係る発明は、送電用鋼管柱鉄塔の塔柱に設けられる中間踊場構造であり、塔柱を取り囲むように設けられる床板が塔柱の周方向に複数に分割され、分割床板のうち任意の数の分割床板が上方向に開閉可能に設けられていることを特徴とする送電用鋼管柱鉄塔の中間踊場構造である。
【０００９】
図１に示すように、送電用鋼管柱鉄塔の最下腕金の下方に設置される中間踊場に適用される。図２に示すように、塔柱には梯子が設けられているため、この梯子の左右両側は固定式の分割床板とし、残りの床板を開閉式の分割床板とするのが好ましい。図示例のように例えば６箇所を開閉式とし、例えば４箇所を電線架設のためのワイヤの通り道として、２箇所を資機材荷揚げ用ワイヤの通り道として使用する。開閉式の分割床板の開く方向は、塔柱に沿ってワイヤが配置されるため、外側に向かって開くようにするのが好ましいが、内側に向かって開くようにしてもよいし、周方向の横に向かって開くようにしてもよい。また、上方に向かって開くようにする。
【００１０】
本発明の請求項２に係る発明は、請求項１に記載の中間踊場構造において、床板を支持する支持材を構成する、内側枠材と、外側枠材と、内側枠材と外側枠材を連結する連結枠材とにより、分割床板の平面形状に対応した平面形状の開口が塔柱の周囲に複数形成され、前記開口の外側枠材、内側枠材または連結枠材に分割床板の一辺がヒンジ部材を介して取り付けられ、少なくとも分割床板のヒンジ部材の辺に対向する辺の周縁部が枠材に上から係止されるように構成されていることを特徴とする送電用鋼管柱鉄塔の中間踊場構造である。
【００１１】
図２、図３に示すように、内側枠材と外側枠材と連結枠材とにより開閉式の分割床板の支持フレームを形成し、また開閉式の分割床板が上方に開くようにした場合である。リング状の内側枠材と外側枠材との間に連結部材を円周方向に間隔をおいて配置してもよいし、図示例のようにリング状の内側枠材と外側枠材を円周方向に分割し、円弧状の内側枠材と外側枠材の両側に連結枠材を配置して各分割床板に対応した個別の支持フレームを配置するようにしてもよい。上方に開いた分割床板を閉じると、分割床板の周縁部が枠材に係止され、開閉式の分割床板の落下が防止される。分割床板の周縁部は枠材にボルトで固定する。枠材の裏面にはナットを固着しておけば、分割床板の上からボルトを締め付け、緩めることができる。
【００１２】
以上のような構成において、送電用鋼管柱鉄塔の架線工事や組立工事などに際し、ワイヤの通り道の確保に必要な範囲のみ分割床板を開き、形成された開口によりワイヤや部材を通過させる。開いた分割床板を閉じるだけで、中間踊場として使用できる。これにより従来のような中間踊場の撤去・復旧工事が不要となる。
【発明の効果】
【００１３】
(1）送電用鋼管柱鉄塔の架線工事や組立工事などに際し、中間踊場の分割床板の開閉のみでワイヤや部材の通り道を確保することができ、従来のような中間踊場の撤去・復旧工事が不要となる。
【００１４】
(2) 中間踊場の撤去・復旧工事が不要となることにより、ａ）仮設作業足場の設置・撤去が不要となり、ｂ）中間踊場の撤去・復旧に伴う塔上〜地上間の上げ下げ作業が皆無となり、ｃ）工具・資材類（特にボルト等の小物類）の落下等のリスクが低減されるなどから、施工性・安全性の向上およびコストの低減が図れる。
【００１５】
(3) 分割床板とその支持材等からなる簡易で低コストの構造により、施工面・安全面・コスト面で多大な効果を有する中間踊場構造が得られる。
【発明を実施するための最良の形態】
【００１６】
以下、本発明を図示する実施形態に基づいて説明する。図１は本発明の中間踊場構造が適用される単柱形式の送電用鋼管柱鉄塔の例を示す正面図である。図２は本発明の中間踊場構造の一例を示す平面図と展開側面図である。図３は図２の部分拡大平面図と各部の断面図である。
【００１７】
図１において、送電用鋼管柱鉄塔１の塔柱２の上部には高さ方向に間隔をおいて複数の腕金３が設けられ、塔柱２の腕金３の取り付かない一側面には地上から頂部に達する梯子４が設けられており、最下腕金３の下方に梯子４の部分を除く塔柱２の外周を取り囲む本発明の中間踊場１０が設置される。
【００１８】
中間踊場１０は、図２に示すように、梯子４の部分を除く塔柱２の外周を取り囲む床板１１と、この床板１１を支持する支持材１２と、床板１１の外周に設けられる手摺１３から構成されている。本発明では、床板１１を塔柱２の円周方向に複数に分割し、分割床板２０のうち任意の数の分割床板２０を上方向に開閉可能な開閉式とする。この図示例では、分割床板８面のうち梯子４の両側を除く６面を開閉式の分割床板２０ａとし、梯子４の左右両側の２面を固定式の分割床板２０ｂとしている。開閉式の分割床板２０ａは等分割により平面視形状が扇形となっている。
【００１９】
支持材１２は、塔柱２の周囲近くに配置される内側枠材３０と、この内側枠材３０の外側に所定の距離をおいて配置される外側枠材３１と、内側枠材３０と外側枠材３１との間に円周方向に等間隔をおいて複数配置されて内側枠材３０と外側枠材３１とを連結する連結枠材３２から構成され、内側枠材３０と外側枠材３１と連結枠材３２により分割床板２０ａの平面形状に対応した平面形状扇形の開口３３が開閉式分割床板２０ａの数だけ６個形成されるように構成されている。
【００２０】
図示例では、一部切り欠かれたリング状の内側枠材３０と外側枠材３１は円周方向に６分割されており、分割された内側枠材３０と外側枠材３１の両端部同士をそれぞれ連結枠材３２で連結することにより扇形の支持フレームが形成されている（図２、図３参照）。隣接する連結枠材３２、３２の間に取付ブラケット３４を挟み、この取付ブラケット３４を塔柱２の外面にボルト止めすることで支持材１２が塔柱２に固定される（図１、図２参照）。なお、内側枠材３０と外側枠材３１は分割した場合を示したが、一部切り欠かれたリング状のものに連結枠材３２を配置するようにしてもよい。
【００２１】
なお、固定式の分割床板２０ｂは、内側枠材３０´と外側枠材３１´と一対の連結枠材３２´で外枠を形成し、これにエキスパンドメタル等の踏み板４０を設けることで構成することができる（図３参照）。
【００２２】
開閉式の分割床板２０ａは、図３に示すように、開口３３を閉塞することができる平面形状が扇形のエキスパンドメタル等の踏み板４０からなり、その周囲には踏み板４０と一体または別体の内側枠板４０ａと外側枠板４０ｂと一対の側部枠板４０ｃ、４０ｃが設けられている。外側枠板４０ｂをヒンジ部材５０を介して支持材の外側枠材３１に取り付けることにより、分割床板２０ａが上下方向に開閉自在に支持される。ヒンジ部材５０は、外側枠材４０ｂと外側枠材３１にそれぞれ縦に取り付けた取付板５０ａ、５０ｂをボルト５０ｃと割りピン付きの普通ナット５０ｄを接合して構成され、左右の２箇所に配置される。
【００２３】
また、内側枠板４０ａと一対の側部枠板４０ｃ、４０ｃはそれぞれ内側枠材３０、連結枠材３２、３２に上から重なるように配置され、支持材１２を踏み板受けとして兼用し、踏み板４０が落下しないようにしている。また、踏み板４０を閉じたとき、内側枠板４０ａを内側枠材３０にボルト５１で固定できるようにしている。また、内側枠材３０の裏面にはナット５２を固着しておき、ボルト５１を上から締め付け、緩めることができるようにしている。
【００２４】
なお、外側枠板４０ｂと外側枠材３１の間には、隙間ができるため、ここに落下防止板５３をボルト止めしている。また、手摺１３は、図１に示すように、外側枠材３１の外側に床板１１を取り囲むように配置され、取付板を介して外側枠材３１に固定される。
【００２５】
以上のような構成の中間踊場１０において、架線工事や組立工事において塔柱２に沿ってワイヤ等を通す必要がある場合、必要な箇所の開閉式の分割床板２０ａを開いて起立させ、その開口３３によりワイヤや部材を通過させる。工事が終了すれば、分割床板２０ａを閉じてボルト５１で固定する。
【００２６】
なお、以上は開閉式の分割床板をヒンジ部材で外側枠材に取り付け、上方に開く例について説明したが、これに限らず、内側枠材や側部枠材にヒンジ部材を介して取り付け、内側や周方向の横に向かって、上方に開くようにしてもよい。
【図面の簡単な説明】
【００２７】
【図１】本発明の中間踊場構造が適用される単柱形式の送電用鋼管柱鉄塔の例を示す正面図である。
【図２】本発明の中間踊場構造の一例を示す平面図と展開側面図である。
【図３】図２の部分拡大平面図と各部の断面図である。
【符号の説明】
【００２８】
１…送電用鋼管柱鉄塔
２…塔柱
３…腕金
４…梯子
１０…中間踊場
１１…床板
１２…支持材
１３…手摺
２０…分割床板
２０ａ…開閉式の分割床板
２０ｂ…固定式の分割床板
３０…内側枠材
３１…外側枠材
３２…連結枠材
３３…開口
３４…取付ブラケット
４０…踏み板
４０ａ…内側枠板
４０ｂ…外側枠板
４０ｃ…側部枠板
５０…ヒンジ部材
５０ａ…取付板
５０ｂ…取付板
５０ｃ…ボルト
５０ｄ…ナット
５１…ボルト
５２…ナット
５３…落下防止板
【図１】
2009215816.tif 000003
【図２】
2009215816.tif 000004
【図３】
2009215816.tif 000005